(57)【要約】      （修正有）【課題】ガイドレールとの間隔を決定し、且つガイドレールと一緒に強固なユニットを形成する緩衝器支持体を提供する。【解決手段】ガイドレール２と緩衝器支持体３が、プレート５によって結合されており、プレート５は、緩衝器支持体３とガイドレール２の強固なユニットを形成する。プレート５は、矩形の凹所６を有しており、凹所は、ガイドレール２の狭い側に嵌合している。プレート５は、凹所６によって、ガイドレール２の固定されていないリム２．１に押しつけられ得る。凹所６は、固定されていないリム２．１の両側に、潤滑油を誘導するために役立つオフセット６．１を有しており、潤滑油は、潤滑油コレクタ７へ流通する。加えて、プレート５は、ネジ９が配置される屈曲部８をレール領域内に有している。【選択図】図１
2005330103.tif 000002
【特許請求の範囲】
【請求項１】
少なくとも１つの緩衝器支持体（３）と、エレベータケージまたは釣り合いおもりのための緩衝器（４）とを備え、緩衝器支持体（３）および緩衝器（４）は、緩衝器動作の場合に生ずる力を昇降路ピット（１）内に導き、また、エレベータケージまたは釣り合いおもりのための、昇降路ピット（１）内に支持された、少なくとも１つのガイドレール（２）を備え、生ずるレールの力は昇降路ピット（１）内に導かれ得る、昇降路ピット設備であって、緩衝器支持体（３）とガイドレール（２）との間に、結合（５）が設けられ、結合（５）は、緩衝器支持体とガイドレールの強固なユニットを生成することを特徴とする、昇降路ピット設備。
【請求項２】
支持部分（５．３）とレール部分（５．４）とを有するプレート（５）は、ガイドレール（２）と緩衝器支持体（３）の間の結合として提供されることを特徴とする、請求項１に記載の昇降路ピット設備。
【請求項３】
オフセット（６．１）を有する凹所（６）と屈曲部（８）とが、レール部分（５．４）に設けられることを特徴とする、請求項１または２に記載の昇降路ピット設備。
【請求項４】
プレート（５）をガイドレール（２）に固定するためのネジ（９）が、屈曲部（８）に設けられることを特徴とする、請求項３に記載の昇降路ピット設備。
【請求項５】
緩衝器支持体（３）の突出部（３．２２）が係合するスロット（５．１）が、支持部分（５．３）に設けられることを特徴とする、請求項２に記載の昇降路ピット設備。
【請求項６】
レール部分（５．４）は、支持部分（５．３）に対して下方にわずかに屈曲しており、ガイドレール（２）のプレート（５）上で集められた潤滑油は、レール部分（５．４）のわずかな勾配を通して、いかなる場合においてもオフセット（６．１）の方向に流れて行き、そして潤滑油コレクタ（７）へ流通することを特徴とする、請求項１から５のいずれか一項に記載の昇降路ピット設備。
【発明の詳細な説明】
【技術分野】
【０００１】
本発明は、少なくとも１つの緩衝器支持体と、エレベータケージまたは釣り合いおもりのための緩衝器とを備え、緩衝器支持体および緩衝器は緩衝器動作の場合に生ずる力を昇降路ピット内に導き、また、エレベータケージまたは釣り合いおもりのために、昇降路ピット内に支持された、少なくとも１つのガイドレールを備え、生ずるレールの力は、昇降路ピット内に導かれ得る、昇降路ピット設備に関する。
【背景技術】
【０００２】
エレベータケージまたは釣り合いおもりのための緩衝器を備える緩衝器支持体は、昇降路ピット内に配置され、且つ、緩衝器動作の場合に生ずる力を昇降路ピット内に導く。緩衝器支持器は、搬送されるべき負荷に対応して分厚く設計される。例えば、エレベータ駆動装置を搬送するガイドレールは、通常昇降路ピット内に支持され、それによって力が昇降路ピット内に導かれる。ガイドレールは、支えられるべき負荷に対応して分厚く設計される。
【発明の開示】
【発明が解決しようとする課題】
【０００３】
緩衝器支持体およびガイドレールが互いに無関係に寸法決定されることは、既知の装置にとって不都合である。
【課題を解決するための手段】
【０００４】
ここで、本発明は、救済策を与えるであろう。請求項１において特徴付けられたように、本発明は、既知の設備の不都合を回避し、且つガイドレールと同じように緩衝器支持体を寸法決定するという目的を満たす。
【０００５】
本発明の有利な展開は、特許請求の範囲の従属請求項において示されている。
【０００６】
本発明によって達成される利点は、実質的に、緩衝器支持体が、ガイドレールと一緒に強固なユニットを形成することにあることがわかる。さらに、緩衝器支持体または緩衝器と、ガイドレールとの間の間隔は、本発明に従った設備によって予め決定され、これによって組み立て時間が短縮化され得ることが有利である。さらにまた、本発明に従った設備は、潤滑油の流出を、潤滑油コレクタの方向に進める。
【０００７】
本発明は、添付図面を参照することによって、より詳細に説明される。
【発明を実施するための最良の形態】
【０００８】
図１は、昇降路ピット１内に支持される少なくとも１つのガイドレール２と、緩衝器４を伴い、昇降路ピット１内に支持される、少なくとも１つの緩衝器支持体３とを有する、昇降路ピット１を示している。ガイドレール２と緩衝器支持体３とは、プレート５によって結合されており、プレートは、緩衝器支持体とガイドレールの剛体ユニットを生成する。プレート５は、ガイドレール２の狭い側に嵌合する矩形の凹所６を有している。プレート５は、凹所６によって、ガイドレール２の固定されていないリム２．１に押しつけられ得る。凹所６は、固定されていないリム２．１の両側に、潤滑油を誘導するために役立つオフセット６．１を有しており、それによって潤滑油が、潤滑油コレクタ７へ流通する。図２に示されるように、プレート５は、プレート５上に集まる潤滑油が、いかなる場合においてもオフセット６．１の方向に流れ得るように、レール部分において下方にわずかに屈曲している。さらにまた、プレート５は、そこにネジ９が配置される屈曲部８を、レール領域内に有している。プレート５は、Ｙ方向についてはネジ９を用いて固定され、Ｚ方向については凹所６によって固定され、そしてＸ方向については緩衝器支持体３によって固定されている。
【０００９】
図２は、ガイドレール２と緩衝器支持体３との間に、プレート５によって生成される、結合の詳細を示している。緩衝器支持体３は、支持要素３．２が配置されたハウジング３．１からなる。ハウジング３．１および支持要素３．２は、Ｕ字状断面を有している。緩衝器４の高さの調整のために、支持要素３．２は、ハウジング３．１の穿孔と位置合わせされた孔列３．２１を有しており、ネジ３．１１が、支持要素３．２をハウジング３．１に結合している。プレート５のスロット５．１に嵌挿され、且つ回転に抗してプレート５を固定する突出部３．２２が、支持要素３．２に配置されている。さらにまた、緩衝器４がネジ４．１を用いてそれに締め付け固定可能な、カバー３．２３が、支持要素３．２に設けられ、ネジ４．１は、プレート５および蓋３．２３の穿孔５．２を貫通する。
【００１０】
プレート５は、支持部分５．３と、凹所６を有し、支持部分５．３に対して下方に向けてわずかに屈曲されているレール部分５．４とからなる。レール部分５．４のわずかな勾配によって、プレート５上に集まるガイドレール２の潤滑油は、いかなる場合においてもオフセット６．１の方向に流れて行き、そして潤滑油コレクタ７内へ流通する。
【００１１】
ガイドレール２、および緩衝器４を備える緩衝器支持体３は、エレベータケージまたは釣り合いおもりのために設けられる。
【図面の簡単な説明】
【００１２】
【図１】支持されたガイドレールと、緩衝器を伴う緩衝器支持体を備える、昇降路ピットを示す図である。
【図２】ガイドレールと緩衝器支持体との間の結合の詳細を示す図である。
【符号の説明】
【００１３】
１  昇降路ピット
２  ガイドレール
３  緩衝器支持体
４  緩衝器
５  プレート
６  矩形の凹所
７  潤滑油コレクタ
８  屈曲部
９、４．１、３．１１  ネジ
２．１  固定されていないリム
３．１  ハウジング
３．２  支持要素
５．１  スロット
５．２  穿孔
５．３  支持部分
５．４  レール部分
６．１  オフセット
３．２１  孔列
３．２２  突出部
３．２３  蓋
【図１】
2005330103.tif 000003
【図２】
2005330103.tif 000004
【外国語明細書】
2005330103.tif 000005
2005330103.tif 000006
2005330103.tif 000007
2005330103.tif 000008
2005330103.tif 000009
2005330103.tif 000010
2005330103.tif 000011